(57)【特許請求の範囲】
【請求項１】
獣医療用の薬剤であることを示す獣医薬情報と、薬剤の名称を示す各第１名称情報と、前記第１名称情報の薬剤の用法、効能および薬理情報を含む第１詳細情報と、が関連付けられた第１情報群、ならびにヒト医療用の薬剤であることを示すヒト医薬情報と、薬剤の名称を示す各第２名称情報と、前記第２名称情報の薬剤を獣医学用途で使用した場合の用法、効能および薬理情報を含む第２詳細情報と、が関連付けられた第２情報群を記憶する薬剤情報記憶手段と、
前記第１名称情報および前記第２名称情報を一覧表示する一覧表示手段と、
前記一覧表示手段によって一覧表示された前記第１名称情報および前記第２名称情報から第１名称情報または第２名称情報を選択する選択手段と、
前記選択手段によって第１名称情報が選択されると、選択された第１名称情報に関連付けられた第１詳細情報を表示し、前記選択手段によって第２名称情報が選択されると、選択された第２名称情報に関連付けられた第２詳細情報を表示する詳細情報表示手段と、を含むことを特徴とする獣医療支援装置。
【請求項２】
現在の日付を出力する計時手段をさらに含み、
前記第２情報群は、前記第２名称情報と関連付けられた、年月日で示される有効期限情報を含み、
前記詳細情報表示手段は、前記選択手段によって第２名称情報が選択されると、選択された第２名称情報に関連付けられた有効期限情報と前記計時手段によって出力される現在の日付とを比較し、現在の日付が有効期限情報の年月日を過ぎていれば、前記第２詳細情報を表示しないことを特徴とする請求項１記載の獣医療支援装置。
【請求項３】
前記第２情報群は、前記第２名称情報と関連付けられた、前記第２名称情報の薬剤をヒト医学用途で使用した場合の用法、効能および薬理情報を含む追加詳細情報を含み、
前記詳細情報表示手段は、前記選択手段によって第２名称情報が選択されると、選択された第２名称情報に関連付けられた前記追加詳細情報をさらに表示することを特徴とする請求項１または２記載の獣医療支援装置。
【請求項４】
前記第１名称情報の薬剤に関連する第１関連情報または前記第２名称情報の薬剤に関連する第２関連情報を入力可能な関連情報入力手段をさらに含み、
前記薬剤情報記憶手段は、前記関連情報入力手段によって入力された第１関連情報を前記第１名称情報に関連付けて記憶し、前記関連情報入力手段によって入力された第２関連情報を前記第２名称情報に関連付けて記憶し、
前記詳細情報表示手段は、前記選択手段によって第１名称情報が選択されると、選択された第１名称情報に関連付けられた第１関連情報をさらに表示し、前記選択手段によって第２名称情報が選択されると、選択された第２名称情報に関連付けられた第２関連情報をさらに表示することを特徴とする請求項１〜３のいずれか１つに記載の獣医療支援装置。
【請求項５】
薬剤情報記憶手段が、獣医療用の薬剤であることを示す獣医薬情報と、薬剤の名称を示す各第１名称情報と、前記第１名称情報の薬剤の用法、効能および薬理情報を含む第１詳細情報と、が関連付けられた第１情報群、ならびにヒト医療用の薬剤であることを示すヒト医薬情報と、薬剤の名称を示す各第２名称情報と、前記第２名称情報の薬剤を獣医学用途で使用した場合の用法、効能および薬理情報を含む第２詳細情報と、が関連付けられた第２情報群を記憶する薬剤情報記憶ステップと、
一覧表示手段が、前記第１名称情報および前記第２名称情報を一覧表示する一覧表示ステップと、
選択手段が、前記一覧表示手段によって一覧表示された前記第１名称情報および前記第２名称情報から第１名称情報または第２名称情報を選択する選択ステップと、
前記選択手段によって第１名称情報が選択されると、詳細情報表示手段が、選択された第１名称情報に関連付けられた第１詳細情報を表示し、前記選択手段によって第２名称情報が選択されると、詳細情報表示手段が、選択された第２名称情報に関連付けられた第２詳細情報を表示する詳細情報表示ステップと、を含むことを特徴とする獣医療支援方法。
【請求項６】
コンピュータを、
獣医療用の薬剤であることを示す獣医薬情報と、薬剤の名称を示す各第１名称情報と、前記第１名称情報の薬剤の用法、効能および薬理情報を含む第１詳細情報と、が関連付けられた第１情報群、ならびにヒト医療用の薬剤であることを示すヒト医薬情報と、薬剤の名称を示す各第２名称情報と、前記第２名称情報の薬剤を獣医学用途で使用した場合の用法、効能および薬理情報を含む第２詳細情報と、が関連付けられた第２情報群を記憶する薬剤情報記憶手段、
前記第１名称情報および前記第２名称情報を一覧表示する一覧表示手段、
前記一覧表示手段によって一覧表示された前記第１名称情報および前記第２名称情報から第１名称情報または第２名称情報を選択する選択手段、および
前記選択手段によって第１名称情報が選択されると、選択された第１名称情報に関連付けられた第１詳細情報とを表示し、前記選択手段によって第２名称情報が選択されると、選択された第２名称情報に関連付けられた第２詳細情報とを表示する詳細情報表示手段として機能させるための獣医療支援プログラム。
【発明の詳細な説明】
【技術分野】
【０００１】
本発明は、獣医師による治療や薬剤の処方を支援するための獣医療支援装置、獣医療支援方法および獣医療支援プログラムに関する。
【背景技術】
【０００２】
近年、犬や猫などの小動物を愛玩動物（ペット）として飼育する家庭が増加し、これら愛玩動物が病気を患った場合には、飼い主が動物病院などにペットを連れて行き、積極的に治療を受けさせることも多くなっている。
【０００３】
従来からヒトを除く動物を対象とする医学として獣医学が確立し、獣医師は獣医学の専門的知識に基づいて愛玩動物だけでなく家畜や野生動物を含めて動物の治療を行っている。
【０００４】
動物病院における治療件数は今後も増加傾向にあり、治療件数の増加につれて獣医師の負担も増加するため、獣医療を支援する支援装置が開発されている。
【０００５】
特許文献１記載の動物医療支援システムは、獣医師からの診療情報をデータベースに記録し、記録された診療情報を利用して予防接種やセミナーなどへの参加を飼育者別に提供することができる。特許文献２記載のペット歯科診療支援システムは、獣医師側端末装置と歯科医師側端末装置とサーバ装置とが通信回線によって相互に接続され、獣医師側端末装置と歯科医師側端末装置の双方から入力送信されてくる診療情報によって診療案件毎の独自の電子カルテを作成し、その電子カルテをそれぞれの端末で閲覧可能としている。
【先行技術文献】
【特許文献】
【０００６】
【特許文献１】特開２００２−１５７３４０号公報
【特許文献２】特開２００４−３３６６３号公報
【発明の概要】
【発明が解決しようとする課題】
【０００７】
獣医療はヒト医療と比べて未確立な部分が多く、特許文献２記載のペット歯科診療支援システムは、このような獣医療の現状を鑑み、獣医師が歯科医師から動物の歯科治療についての見解や助言を容易かつリアルタイムに得られることを可能としている。
【０００８】
しかしながら、特許文献２記載のシステムでは、獣医師が見解や助言をリアルタイムで得るには、歯科医師が同時刻にシステムを使用していることが必要であり、また、歯科医師の擁する知識が獣医療に適切であるかどうかも不明である。
【０００９】
ところで、獣医療で用いられる治療薬は、獣医療専用の薬剤もあるが、ヒト医療用として開発された薬剤を獣医学用途で使用する場合が多い。ヒト医療用の薬剤を動物に対して使用した臨床事例の蓄積は少なく、事例の増加に伴って用法、効能、薬理情報などは変化するため、より適切な治療を行うにあたっては、治療薬に関する最新情報を入手することが望ましいが、獣医師にとっては困難である。
【００１０】
本発明の目的は、獣医師が、治療薬の情報を容易に入手し、より適切な治療を行うことができるよう支援を行う獣医療支援装置、獣医療支援方法および獣医療支援プログラムを提供することである。
【課題を解決するための手段】
【００１１】
本発明は、獣医療用の薬剤であることを示す獣医薬情報と、薬剤の名称を示す各第１名称情報と、前記第１名称情報の薬剤の用法、効能および薬理情報を含む第１詳細情報と、が関連付けられた第１情報群、ならびにヒト医療用の薬剤であることを示すヒト医薬情報と、薬剤の名称を示す各第２名称情報と、前記第２名称情報の薬剤を獣医学用途で使用した場合の用法、効能および薬理情報を含む第２詳細情報と、が関連付けられた第２情報群を記憶する薬剤情報記憶手段と、
前記第１名称情報および前記第２名称情報を一覧表示する一覧表示手段と、
前記一覧表示手段によって一覧表示された前記第１名称情報および前記第２名称情報から第１名称情報または第２名称情報を選択する選択手段と、
前記選択手段によって第１名称情報が選択されると、選択された第１名称情報に関連付けられた第１詳細情報を表示し、前記選択手段によって第２名称情報が選択されると、選択された第２名称情報に関連付けられた第２詳細情報を表示する詳細情報表示手段と、を含むことを特徴とする獣医療支援装置である。
【００１２】
また本発明は、現在の日付を出力する計時手段をさらに含み、
前記第２情報群は、前記第２名称情報と関連付けられた、年月日で示される有効期限情報を含み、
前記詳細情報表示手段は、前記選択手段によって第２名称情報が選択されると、選択された第２名称情報に関連付けられた有効期限情報と前記計時手段によって出力される現在の日付とを比較し、現在の日付が有効期限情報の年月日を過ぎていれば、前記第２詳細情報を表示しないことを特徴とする。
【００１３】
また本発明は、前記第２情報群は、前記第２名称情報と関連付けられた、前記第２名称情報の薬剤をヒト医学用途で使用した場合の用法、効能および薬理情報を含む追加詳細情報を含み、
前記詳細情報表示手段は、前記選択手段によって第２名称情報が選択されると、選択された第２名称情報に関連付けられた前記追加詳細情報をさらに表示することを特徴とする。
【００１４】
また本発明は、前記第１名称情報の薬剤に関連する第１関連情報または前記第２名称情報の薬剤に関連する第２関連情報を入力可能な関連情報入力手段をさらに含み、
前記薬剤情報記憶手段は、前記関連情報入力手段によって入力された第１関連情報を前記第１名称情報に関連付けて記憶し、前記関連情報入力手段によって入力された第２関連情報を前記第２名称情報に関連付けて記憶し、
前記詳細情報表示手段は、前記選択手段によって第１名称情報が選択されると、選択された第１名称情報に関連付けられた第１関連情報をさらに表示し、前記選択手段によって第２名称情報が選択されると、選択された第２名称情報に関連付けられた第２関連情報をさらに表示することを特徴とする。
【００１５】
また本発明は、薬剤情報記憶手段が、獣医療用の薬剤であることを示す獣医薬情報と、薬剤の名称を示す各第１名称情報と、前記第１名称情報の薬剤の用法、効能および薬理情報を含む第１詳細情報と、が関連付けられた第１情報群、ならびにヒト医療用の薬剤であることを示すヒト医薬情報と、薬剤の名称を示す各第２名称情報と、前記第２名称情報の薬剤を獣医学用途で使用した場合の用法、効能および薬理情報を含む第２詳細情報と、が関連付けられた第２情報群を記憶する薬剤情報記憶ステップと、
一覧表示手段が、前記第１名称情報および前記第２名称情報を一覧表示する一覧表示ステップと、
選択手段が、前記一覧表示手段によって一覧表示された前記第１名称情報および前記第２名称情報から第１名称情報または第２名称情報を選択する選択ステップと、
前記選択手段によって第１名称情報が選択されると、詳細情報表示手段が、選択された第１名称情報に関連付けられた第１詳細情報を表示し、前記選択手段によって第２名称情報が選択されると、詳細情報表示手段が、選択された第２名称情報に関連付けられた第２詳細情報を表示する詳細情報表示ステップと、を含むことを特徴とする獣医療支援方法である。
【００１６】
また本発明は、コンピュータを、
獣医療用の薬剤であることを示す獣医薬情報と、薬剤の名称を示す各第１名称情報と、前記第１名称情報の薬剤の用法、効能および薬理情報を含む第１詳細情報と、が関連付けられた第１情報群、ならびにヒト医療用の薬剤であることを示すヒト医薬情報と、薬剤の名称を示す各第２名称情報と、前記第２名称情報の薬剤を獣医学用途で使用した場合の用法、効能および薬理情報を含む第２詳細情報と、が関連付けられた第２情報群を記憶する薬剤情報記憶手段、
前記第１名称情報および前記第２名称情報を一覧表示する一覧表示手段、
前記一覧表示手段によって一覧表示された前記第１名称情報および前記第２名称情報から第１名称情報または第２名称情報を選択する選択手段、および
前記選択手段によって第１名称情報が選択されると、選択された第１名称情報に関連付けられた第１詳細情報とを表示し、前記選択手段によって第２名称情報が選択されると、選択された第２名称情報に関連付けられた第２詳細情報とを表示する詳細情報表示手段として機能させるための獣医療支援プログラムである。
【発明の効果】
【００１７】
本発明によれば、薬剤情報記憶手段には、獣医療用の薬剤に関する第１情報群と、ヒト医療用の薬剤に関する第２詳細情報とが、記憶される。第１情報群は、獣医療用の薬剤であることを示す獣医薬情報と、薬剤の名称を示す各第１名称情報と、前記第１名称情報の薬剤の用法、効能および薬理情報を含む第１詳細情報と、が関連付けられており、第２情報群は、ヒト医療用の薬剤であることを示すヒト医薬情報と、薬剤の名称を示す各第２名称情報と、前記第２名称情報の薬剤を獣医学用途で使用した場合の用法、効能および薬理情報を含む第２詳細情報と、が関連付けられている。
【００１８】
一覧表示手段は、前記第１名称情報および前記第２名称情報を一覧表示し、選択手段は、前記一覧表示手段によって一覧表示された前記第１名称情報および前記第２名称情報から第１名称情報または第２名称情報を選択する。
【００１９】
詳細情報表示手段は、前記選択手段によって第１名称情報が選択されると、選択された第１名称情報に関連付けられた第１詳細情報を表示し、前記選択手段によって第２名称情報が選択されると、選択された第２名称情報に関連付けられた第２詳細情報を表示する。
【００２０】
これにより、ヒト医療用の薬剤について、その薬剤を獣医学用途で使用した場合の用法、効能および薬理情報が、薬剤名称を選択するだけで表示されるので、獣医師が、治療薬の情報を容易に入手し、より適切な治療を行うことができるよう支援を行うことができる。
【００２１】
また本発明によれば、前記第２情報群には、前記第２名称情報と関連付けられた、年月日で示される有効期限情報を含まれており、前記詳細情報表示手段は、前記選択手段によって第２名称情報が選択されると、選択された第２名称情報に関連付けられた有効期限情報と現在の日付とを比較し、現在の日付が有効期限情報の年月日を過ぎていれば、前記第２詳細情報を表示しないように構成される。
【００２２】
これにより、有効期限が経過したのちに、古い知見に基づく情報によって獣医師が誤った診療を行ってしまうことを防止することができる。
【００２３】
また本発明によれば、前記第２情報群は、ヒト医療用薬剤の本来の情報、たとえば市販の薬剤に添付される説明書の記載情報などを参考に表示することができる。
【００２４】
また本発明によれば、関連情報入力手段によって、前記第１名称情報の薬剤に関連する第１関連情報または前記第２名称情報の薬剤に関連する第２関連情報を入力することができる。
【００２５】
関連情報は、獣医師が自ら見出した知見などに基づいて、診療に参考する情報として入力され、診療時にこれを表示することができる。
【００２６】
また本発明によれば、薬剤情報記憶ステップでは、薬剤情報記憶手段に、獣医療用の薬剤に関する第１情報群と、ヒト医療用の薬剤に関する第２詳細情報とが、記憶される。第１情報群は、獣医療用の薬剤であることを示す獣医薬情報と、薬剤の名称を示す各第１名称情報と、前記第１名称情報の薬剤の用法、効能および薬理情報を含む第１詳細情報と、が関連付けられており、第２情報群は、ヒト医療用の薬剤であることを示すヒト医薬情報と、薬剤の名称を示す各第２名称情報と、前記第２名称情報の薬剤を獣医学用途で使用した場合の用法、効能および薬理情報を含む第２詳細情報と、が関連付けられている。
【００２７】
一覧表示ステップでは、一覧表示手段が、前記第１名称情報および前記第２名称情報を一覧表示し、選択ステップでは、選択手段が、前記一覧表示手段によって一覧表示された前記第１名称情報および前記第２名称情報から第１名称情報または第２名称情報を選択する。
【００２８】
詳細情報表示ステップでは、前記選択手段によって第１名称情報が選択されると、詳細情報表示手段が、選択された第１名称情報に関連付けられた第１詳細情報を表示し、前記選択手段によって第２名称情報が選択されると、詳細情報表示手段が、選択された第２名称情報に関連付けられた第２詳細情報を表示する。
【００２９】
これにより、ヒト医療用の薬剤について、その薬剤を獣医学用途で使用した場合の用法、効能および薬理情報が、薬剤名称を選択するだけで表示されるので、獣医師が、治療薬の情報を容易に入手し、より適切な治療を行うことができるよう支援を行うことができる。
【００３０】
また本発明によれば、コンピュータを、上記の獣医療支援装置として機能させるための獣医療支援プログラムとして提供することができる。
【図面の簡単な説明】
【００３１】
【図１】本発明の一実施形態に係る獣医療支援装置１０を含む情報通信システム１の構成を示す概略図である。
【図２】獣医療支援装置１０の構成の一例を示すブロック図である。
【図３】サーバ装置２０の構成の一例を示すブロック図である。
【図４】薬剤情報１３０のデータ構造を示す概略図である。
【図５】第１実施形態における薬剤情報１３０の表示処理において、表示部１１に表示される画面例を示す図である。
【図６】第１実施形態における薬剤情報１３０の表示処理において、表示部１１に表示される画面例を示す図である。
【図７】第１実施形態における薬剤情報１３０の表示処理において、表示部１１に表示される画面例を示す図である。
【図８】第１実施形態の薬剤情報表示処理を示すフローチャートである。
【図９】薬剤情報１３０Ａのデータ構造を示す概略図である。
【図１０】第２実施形態における薬剤情報１３０Ａの表示処理において、表示部１１に表示される画面例を示す図である。
【図１１】第２実施形態の薬剤情報表示処理を示すフローチャートである。
【図１２】薬剤情報１３０Ｂのデータ構造を示す概略図である。
【図１３】第３実施形態における薬剤情報１３０Ｂの表示処理において、表示部１１に表示される画面例を示す図である。
【図１４】第３実施形態における薬剤情報１３０Ｂの表示処理において、表示部１１に表示される画面例の他の例を示す図である。
【発明を実施するための形態】
【００３２】
（第１実施形態）
図１は、本発明の第１実施形態に係る獣医療支援装置１０を含む情報通信システム１の構成を示す概略図である。情報通信システム１は、通信ネットワーク２を介して互いに通信可能な獣医療支援装置１０とサーバ装置２０とを含んで構成される。
【００３３】
獣医療支援装置１０は、通信ネットワーク２を介してサーバ装置２０と通信可能に構成されるとともに、サーバ装置２０から薬剤情報をダウンロードすることにより、自装置の記憶部に薬剤情報を記憶し、薬剤情報をディスプレイに表示することができる。
【００３４】
獣医療支援装置１０は、獣医師が診療を行う際に使用し、処方する薬剤や治療行為（簡単な処置および手術などを含む）において投与する薬剤についての情報を参照するために用いる装置である。獣医師が本発明の獣医療支援装置１０による支援を受けて診療の対象とする動物（ヒトを除く。以下「診療対象動物」という場合がある）は、愛玩動物（伴侶動物、ペット）、家畜動物および野生動物を含み、特定種類の動物には限定されない。
【００３５】
また、本実施形態の獣医療支援装置１０は、電子カルテの作成、閲覧などの機能も有しており、薬剤情報の参照機能は、電子カルテの有する機能の一部として含まれている。本発明は薬剤情報の参照機能に特徴を有するものであり、電子カルテの機能は従来公知の機能であるので、電子カルテの機能については詳細な説明を省略する。
【００３６】
なお、本発明の獣医療支援装置１０は、電子カルテの機能を有している必要はなく、薬剤情報の参照機能だけに特化した薬剤データベースとしての機能のみを有していてもよい。
【００３７】
図２は、獣医療支援装置１０の構成の一例を示すブロック図である。獣医療支援装置１０は、表示部１１と、操作部１２と、記憶部１３と、第１通信部１４と、第２通信部１５と、制御部１６とを含んで構成され、たとえば汎用のパーソナルコンピュータ（ＰＣ）に獣医療支援プログラムをインストールして実現される。
【００３８】
表示部１１は、画像を表示可能に構成され、たとえば液晶パネルおよびバックライトユニットを備える液晶ディスプレイによって実現される。表示部１１には、電話機能や電子メール機能を使用する際の操作画面やウェブブラウザによるウェブサイト閲覧画面などの各種画面が表示される。
【００３９】
操作部１２は、制御部１６に対し指令やデータを入力するための操作を受け付ける部分であり、ユーザによる操作に応答して、指令信号や入力データを制御部１６へ出力する。操作部１２は、キーボード、マウス、タッチパネルなどの各種入力デバイスによって実現される。
【００４０】
記憶部１３は、フラッシュメモリまたはＨＤＤ（Hard Disk Drive）などの記憶デバイスによって実現され、各種プログラムやデータを記憶する薬剤情報記憶手段である。記憶部１３は、システム情報記憶領域１３ａ、電子カルテ情報記憶領域１３ｂおよび薬剤情報記憶領域１３ｃを少なくとも含み、ウェブブラウザなどその他のソフトウェアや静止画および動画を含む画像データ、音声データなどを記憶するための記憶領域も有している。
【００４１】
システム情報記憶領域１３ａには、ＯＳ（オペレーティングシステム）の設定情報など獣医療支援装置１０を動作させるための基幹情報が記憶される。電子カルテ情報記憶領域１３ｂには、診療対象動物の名前、飼い主の氏名や連絡先、診療対象動物の既往歴、過去の診療履歴など電子カルテに入力された各種の情報が記憶される。
【００４２】
薬剤情報記憶領域１３ｃには、薬剤の名称、用法・効能などの薬剤情報が記憶される。薬剤情報の詳細については後述する。
【００４３】
第１通信部１４は、たとえば、スマートフォンなどの携帯端末装置と比較的容量の小さいデータを通信したり、テレビジョン受像機などの外部機器を遠隔操作するための各種のコマンド信号を、無線通信によって送信する機能を有する。
【００４４】
第１通信部１４は、制御部１６によって生成される各種のコマンド信号を、赤外線通信によって外部へ送信するように構成されてもよく、ＩＥＥＥ８０２．１１、Ｂｌｕｅｔｏｏｔｈ（登録商標）およびＺｉｇｂｅｅ（登録商標）などの無線通信によって外部へ送信するように構成されてもよい。
【００４５】
第２通信部１５は、公衆電話回線網に接続し、インターネットを含む通信ネットワーク２を介して、サーバ装置２０との間でデータ通信を実現する。第２通信部１５は、たとえばイーサネット（登録商標）インターフェイスによって実現され、有線通信によるデータ通信を行う。
【００４６】
制御部１６は、ＣＰＵ（Central Processing Unit）、ＲＯＭ（Read Only Memory）およびＲＡＭ（Random Access Memory）などを備え、ＲＯＭや記憶部１３に記憶される各種プログラムに従って獣医療支援装置１０全体の動作制御を行う。
【００４７】
獣医療支援装置１０は、音声を出力するスピーカや音声が入力されるマイクなど上記各部以外の構成を備えていてもよい。
【００４８】
図３は、サーバ装置２０の構成の一例を示すブロック図である。サーバ装置２０は、通信部２１と、操作部２２と、制御部２３と、記憶部２４とを含んで構成される。
【００４９】
通信部２１は、公衆電話回線網に接続し、インターネットを含む通信ネットワーク２を介して、獣医療支援装置１０との間でデータ通信を実現する。通信部２１は、獣医療支援装置１０の第２通信部と同様に、たとえばイーサネット（登録商標）インターフェイスによって実現され、有線通信によるデータ通信を行う。
【００５０】
操作部２２は、制御部２３に対し指令やデータを入力するための操作を受け付ける部分であり、たとえばキーボード、マウス、タッチパネルなどの各種入力デバイスによって実現される。
【００５１】
記憶部２４は、フラッシュメモリおよびＨＤＤなどによって実現され、各種プログラムやデータが記憶される。記憶部２４は、システム情報記憶領域２４ａおよび薬剤情報記憶領域２４ｂを少なくとも含み、ウェブブラウザなどその他のソフトウェアや静止画および動画を含む画像データ、音声データなどを記憶するための記憶領域も有している。
【００５２】
システム情報記憶領域１３ａには、ＯＳ（オペレーティングシステム）の設定情報などサーバシステムを動作させるための基幹情報が記憶される。薬剤情報記憶領域２４ｂには、獣医療支援装置１０に提供するための薬剤情報が記憶される。なお、記憶部２４は、獣医療支援装置１０に記憶される電子カルテ情報のバックアップのために、獣医療支援装置１０からアップロードされる電子カルテ情報を記憶してもよい。
【００５３】
以下では、獣医療支援装置１０の記憶部１３の薬剤情報記憶領域１３ｃに記憶された薬剤情報について詳細に説明する。なお、獣医療支援装置１０に記憶される薬剤情報は、薬剤情報提供サービスの役務を担うサービス提供業者が、予め準備する情報であり、サービス提供業者は、たとえば、ＪＢＰＶ（日本臨床獣医学フォーラム）などの獣医学関連の学会や、大学などの獣医学関連の研究者、薬剤メーカーなどによってもたらされる知見に基づき、作成される情報である。サーバ装置２０は、サービス提供業者によって運営される。
【００５４】
図４は、薬剤情報１３０のデータ構造を示す概略図である。薬剤情報１３０は、記憶部１３の薬剤情報記憶領域１３ｃに記憶される。なお、図４に示すデータ構造は、本発明の説明に必要な項目のみを示しており、薬剤情報１３０は、図に示す以外の項目を含んでいてもよい。
【００５５】
薬剤情報１３０は、ＩＤ番号１３１、薬剤名称１３２、薬効分類１３３、人動区分１３４、内外区分１３５、効果・効能（犬）１３６、用法・用量（犬）１３７、参考事項（犬）１３８、効果・効能（猫）１３９、用法・用量（猫）１４０、参考事項（猫）１４１、保存方法１４２、薬理情報１４３および説明書ＰＤＦ１４４の各項目を含む。
【００５６】
ＩＤ番号１３１は、各薬剤を識別可能なように、各薬剤に対して割り当てられた番号である。薬剤名称１３２は、各薬剤の名称を示し、通常は商品名が入力される。
【００５７】
薬効分類１３３は、各薬剤の薬効を示し、「麻酔薬」「問題行動治療薬」「消化器官用剤」「抗腫瘍薬」「眼科用剤」「ビタミン・栄養補助剤」など予め定める複数の分類の中から選択して入力される。
【００５８】
人動区分１３４は、各薬剤が、ヒト医療用の医薬であるか、獣医療用の医薬であるかの区分を示す。内外区分１３５は、各薬剤が内服であるか、外用であるかの区分を示す。
【００５９】
効果・効能（犬）１３６は、各薬剤を犬に使用したときの効果および効能を示す。用法・用量（犬）１３７は、各薬剤を犬に使用するときの用法および用量を示す。参考事項（犬）１３８は、各薬剤を犬に使用するときの参考情報を示す。参考情報は、たとえば、副作用に関する情報、注意事項に関する情報などを含む。
【００６０】
効果・効能（猫）１３９は、各薬剤を猫に使用したときの効果および効能を示す。用法・用量（猫）１４０は、各薬剤を猫に使用するときの用法および用量を示す。参考事項（猫）１４１は、各薬剤を猫に使用するときの参考情報を示す。参考情報は、たとえば、副作用に関する情報、注意事項に関する情報などを含む。
【００６１】
保存方法１４２は、各薬剤の保存方法を示す。薬理情報１４３は、各薬剤の薬理情報が別途記録された記録箇所を示す。薬剤の薬理情報は、主成分の化学式など多岐にわたる情報であり、各項目とは別途に記録されているので、薬理情報１４３の項目には、別途記録された記憶箇所が記載されている。
【００６２】
説明書ＰＤＦ１４４は、追加詳細情報である市販のヒト医薬に添付されている説明書をＰＤＦ化したＰＤＦファイル名（ファイルパスを含む）を示す。薬剤の説明書は、ＰＤＦファイルとして各項目とは別途に記録されているので、説明書ＰＤＦの項目には、記録されているＰＤＦファイルのファイルパスを含むファイル名が記載されている。
【００６３】
図４には、ＩＤ番号１３１が「０００１」の薬剤と「０００２」の薬剤が例として記載されている。ＩＤ番号１３１が「０００１」の薬剤を以下では獣医薬、ＩＤ番号１３１が「０００２」の薬剤を以下ではヒト医薬とよぶ。
【００６４】
獣医薬は、第１名称情報である薬剤名称１３２が「○○○○錠」であり、薬効分類１３３は、「抗腫瘍薬」に分類される薬剤である。獣医薬は、獣医薬情報である人動区分１３４が、獣医療用の薬剤であることを示す「動物用」であり、内外区分１３５は、「内服」である。獣医薬は、効果・効能（犬）１３６および用法・用量１３７に記載されているように、犬に使用したときの効果および効能が、「多発性骨髄腫」であり、犬に使用するときの用法および用量は、「２ｍｇ／ｍ２」である。参考事項（犬）１３８には、犬に使用したときの副作用が記載されている。
【００６５】
獣医薬は、効果・効能（猫）１３９および用法・用量１４０に記載されているように、猫に使用したときの効果および効能が、「多発性骨髄腫」であり、猫に使用するときの用法および用量は、「２ｍｇ／ｍ２」である。参考事項（猫）１４１には、猫に使用したときの副作用が記載されている。
【００６６】
保存方法１４２には、獣医薬の保存方法が記載されている。獣医薬の薬理情報は、薬理情報１４３に示す「薬理情報Ａ１」に記載されている。薬理情報Ａ１は、たとえば、他のデータとして記憶部１３の薬剤情報記憶領域１３ｃに記憶されている。獣医薬は、ヒト医薬ではないので、ヒト医薬としての説明書は存在しておらず、説明書ＰＤＦ１４４の項目には、何も登録されていない。
【００６７】
ヒト医薬は、本来は獣医学用途ではなくヒト医学用途に開発された市販の薬剤である。獣医療においては、必ずしも獣医療用の薬剤があるとは限らず、また、獣医療用薬剤があったとしても、十分な効能が見込めない場合もあり、ヒト医療用の薬剤を獣医学用途で使用することが行われる。
【００６８】
しかしながら、ヒト医薬を獣医学用途で用いた場合に、その効果・効能が同じとは限らず、用法・用量も同じであるとは限らない。人間と診療対象動物とでは、体組織や生体反応などが大きく異なるからである。
【００６９】
従来の獣医療用の薬剤情報では、ヒト医薬の情報は、ヒト医学用途で用いた場合の情報として既に知られている情報が開示されるだけであり、獣医学用途で用いた場合の情報については不明である。
【００７０】
ヒト医薬を獣医学用途で用いることは行われているので、そのような知見自体は、たとえば、学術論文やその他の形式で公表されているかもしれないが、獣医師が、診療するにあたって、それらの知見を薬剤ごとに個別に探し出して取得し、自らの診療に反映させることは、非常に困難である。
【００７１】
本発明は、ヒト医薬については、獣医学用途で用いた場合の効果・効能に関する情報、用法・用量に関する情報およびその他の特筆すべき情報を、薬剤ごとに関連付けてデータベース化し、獣医師が診療するにあたって、簡単かつ迅速に、参照することができることを特徴としている。
【００７２】
したがって、下記のヒト医薬について、効果・効能（犬）１３６、用法・用量（犬）１３７、参考事項（犬）１３８、効果・効能（猫）１３９、用法・用量（猫）１４０、参考事項（猫）１４１、保存方法１４２、薬理情報１４３の項目は、ヒト医薬をヒト医学用途で用いた場合の情報ではなく、ヒト医薬を獣医学用途で用いた場合の情報が入力されている。さらに、ヒト医薬をヒト医学用途で用いた場合の情報は、市販品に添付される薬剤説明書を参照することが可能となっている。なお、犬・猫は診療対象動物の一例であって、診療対象動物であれば、犬・猫以外の動物に関する情報が入力されていてもよい。
【００７３】
ヒト医薬は、第２名称情報である薬剤名称１３２が「××××錠」であり、薬効分類１３３は、「抗腫瘍薬」に分類される薬剤である。ヒト医薬は、ヒト医薬情報である人動区分１３４が、ヒト医療用の薬剤であることを示す「人体用」であり、内外区分１３５は、「内服」である。ヒト医薬は、効果・効能（犬）１３６および用法・用量１３７に記載されているように、犬に使用したときの（獣医学用途で使用した場合の）効果および効能が、「多発性骨髄腫」であり、犬に使用するときの（獣医学用途で使用した場合の）用法および用量は、「２ｍｇ／ｍ２」である。参考事項（犬）１３８には、犬に使用したときの（獣医学用途で使用した場合の）副作用が記載されている。
【００７４】
ヒト医薬は、効果・効能（猫）１３９および用法・用量１４０に記載されているように、猫に使用したときの（獣医学用途で使用した場合の）効果および効能が、「多発性骨髄腫」であり、猫に使用するときの（獣医学用途で使用した場合の）用法および用量は、「２ｍｇ／ｍ２」である。参考事項（猫）１４１には、猫に使用したときの（獣医学用途で使用した場合の）副作用が記載されている。
【００７５】
保存方法１４２には、ヒト医薬の保存方法が記載されている。ヒト医薬を獣医学用途で使用した場合の薬理情報は、薬理情報１４３に示す「薬理情報Ａ２」に記載されている。薬理情報Ａ２は、たとえば、他のデータとして記憶部１３の薬剤情報記憶領域１３ｃに記憶されている。
【００７６】
ヒト医薬については、説明書ＰＤＦ１４４にＰＤＦファイルのファイルパスを含むファイル名が登録される。市販品であるヒト医薬については、本来のヒト医学用途で使用する場合の、効果・効能、用法・用量およびその他の参考事項などが記載された説明書が存在する。
【００７７】
本発明の獣医療支援装置１０では、ヒト医薬を獣医学用途で使用した場合の情報を参照することが特徴であるが、当該ヒト医薬の本来の情報自体も、獣医学用途で使用した場合の情報と比較したり、取扱における注意事項や保存方法などにおいて、参照できるほうが好ましい。ヒト医薬の本来の情報を薬剤情報１３０に登録してもよいが、より簡単な方法として、当該ヒト医薬に添付されている説明書をＰＤＦファイルなどの画像ファイルとして登録し、獣医師が画像ファイルを表示させるよう操作すると、登録されている画像ファイルを表示部１１に表示させるように構成されている。ＰＤＦファイルなどの画像ファイルの表示部１１への表示は、従来公知の方法で可能である。
【００７８】
なお、本発明においては、獣医薬についての効果・効能（犬）１３６、用法・用量（犬）１３７および薬理情報１４３の項目からなる情報が第１詳細情報であり、この第１詳細情報と、獣医薬についての薬剤名称１３２および人動区分１３４の項目からなる情報とが、１つの獣医薬として関連付けられて第１情報群を構成する。また、ヒト医薬についての効果・効能（犬）１３６、用法・用量（犬）１３７および薬理情報１４３の項目からなる情報が第２詳細情報であり、この第２詳細情報と、ヒト医薬についての薬剤名称１３２および人動区分１３４の項目からなる情報とが、１つのヒト医薬として関連付けられて第２情報群を構成する。
【００７９】
図４の例では２つの薬剤についての情報が登録されているが、実際には、３以上のより多くの薬剤についての情報が登録されている。
【００８０】
次に、獣医療支援装置１０による薬剤情報１３０の表示処理について説明する。本実施形態の獣医療支援装置１０は、電子カルテの１つの機能として薬剤情報の表示機能を備えている。
【００８１】
図５〜図７は、第１実施形態における薬剤情報１３０の表示処理において、表示部１１に表示される画面例を示す図である。電子カルテのプログラムが起動している状態で、薬剤情報の表示機能を開始する操作を行うと、薬剤情報１３０の表示処理プログラムが起動し、図５に示す初期画面が表示される。本例では、薬剤情報１３０の表示処理プログラムは、電子カルテ上で、「お薬ＤＢ」と表示されたタブやアイコンなどを選択することで起動する。
【００８２】
本実施形態における各種の操作は、獣医療支援装置１０を操作する獣医師または獣医師以外の操作者（以下では単に「獣医師」という）が、キーボードやマウスなどの操作部１２を使用して行う。
【００８３】
初期画面では、薬剤情報１３０に登録されている薬剤についての薬剤名称１３２の一覧が、一覧表示領域１１１に表示されている。一覧表示領域１１１の大きさは限られているので、登録されている全ての薬剤について一覧表示されないときは、スクロールやページ送りなどの機能によって一覧表示すればよい。また、人動区分１３４において、人体用および動物用のいずれに区分される薬剤も１つの一覧表示領域１１１に一覧表示される。
【００８４】
一覧表示領域１１１に一覧表示される薬剤名称は、予め定める順序で表示される。ここで、予め定める順序としては、五十音順、アルファベット順などである。また、薬剤を薬効分類などの分類ごとにグループ化し、グループごとに一覧表示領域１１１に一覧表示してもよい。その場合、グループ内での表示順序は、五十音順、アルファベット順などである。図５に示す例では、薬効分類によるグループ化がなされており、分類の１つである「抗腫瘍薬」が選択されることで、「抗腫瘍薬」に分類される薬剤が抽出されて、一覧表示領域１１１に一覧表示される。薬効分類によるグループ化は、薬剤情報１３０の項目である薬効分類１３３に入力された分類名に基づき、同じ分類名が入力されている薬剤を１つのグループとする。
【００８５】
一覧表示領域１１１に一覧表示された薬剤名称のそれぞれについて、薬効分類、内外区分、人動区分などが分類・区分表示領域１１２に表示される。獣医師は、一覧表示領域１１１に一覧表示された薬剤名称や、分類・区分表示領域１１２に表示される各種情報を見ながら、さらに詳細な情報を表示させたい薬剤について、操作部１２を用いてその薬剤の薬剤名称を、一覧表示された薬剤名称の中から１つ選択する。
【００８６】
１つの薬剤名称が選択されると、図６に示すように、選択された薬剤名称の薬剤についての詳細情報が詳細情報表示領域１１３に表示される。本実施形態では、詳細情報表示領域１１３は、別ウインドウとして初期画面に重ねて表示される。
【００８７】
詳細情報表示領域１１３には、詳細情報として、薬剤名称、効果・効能、用法・用量、参考事項が各表示領域１１３ａ〜１１３ｄに表示される。さらに、詳細情報表示領域１１３の表示内容は、タブによって切り替えることができる。たとえば、犬タブ１１４を選択すると、当該薬剤を犬に使用する場合の情報、すなわち効果・効能（犬）１３６、用法・用量（犬）１３７および参考事項（犬）１３８に入力されている情報が、各表示領域１１３ｂ〜１１３ｄに表示される。たとえば、猫タブ１１５を選択すると、当該薬剤を猫に使用する場合の情報、すなわち効果・効能（猫）１３９、用法・用量（猫）１４０および参考事項（猫）１４１に入力されている情報が、各表示領域に表示される。
【００８８】
また、詳細タブ１１６が選択されると、薬効分類１３３、人動区分１３４、内外区分１３５に入力されている情報などを含む分類情報が分類表示領域１１８に表示される。分類表示領域１１８は、詳細情報表示領域１１３とは異なる領域であり、分類表示領域１１８と詳細情報表示領域１１３に表示される情報は独立し、それぞれタブ選択によって表示される情報を切り替えることができる。薬理タブ１１７が選択されると、薬理情報１４３に入力されている情報に基づいて、図７に示すように、当該薬剤の薬理情報が薬理情報表示領域１１９に表示される。薬理情報表示領域１１９は、分類表示領域１１８であった領域と同一箇所にあり、タブの選択により、表示領域自体が、分類表示領域１１８と薬理情報表示領域１１９との間で切り替わるように構成されている。
【００８９】
薬理情報表示領域１１９に表示される薬理情報は、たとえば、臨床応用情報、作用機序情報および化学構造式情報などを含み、これらの情報は、薬剤情報１３０の薬理情報１４３に示す「薬理情報Ａ１」「薬理情報Ａ２」などの情報群として記憶部１３に記憶された情報である。
【００９０】
図８は、第１実施形態の薬剤情報表示処理を示すフローチャートである。薬剤情報１３０は、予め獣医療支援装置１０の記憶部１３に記憶されており、電子カルテ上で、「お薬ＤＢ」と表示されたタブやアイコンなどを選択されると、薬剤情報表示処理を開始する。
【００９１】
ステップＡ１では、薬剤情報１３０に登録されている薬剤名称を一覧表示領域１１１に一覧表示する。ステップＡ２では、一覧表示された中から１つの薬剤名称が選択されたかどうかを判断し、選択されるとステップＡ３に進み、選択されなければ一覧表示した状態で待機する。
【００９２】
ステップＡ３では、薬剤情報１３０に、選択された薬剤名称に関連付けられて登録されている犬用の効果・効能、用法・用量および参考事項を詳細情報表示領域１１３に表示する。また、分類情報を分類表示領域１１８に表示する。
【００９３】
ステップＡ４では、猫タブと犬タブのいずれかのタブが選択されたかどうかを判断する。いずれかのタブが選択されるとステップＡ５に進み、選択されなければ現在表示されている効果・効能、用法・用量および参考事項を表示した状態で待機する。
【００９４】
ステップＡ５では、選択されたタブに応じて犬用の効果・効能、用法・用量および参考事項と猫用の効果・効能、用法・用量および参考事項とを切り替えて詳細情報表示領域１１３に表示する。
【００９５】
ステップＡ６では、詳細タブと薬理タブのいずれかのタブが選択されたかどうかを判断する。いずれかのタブが選択されるとステップＡ７に進み、選択されなければ現在表示されている分類情報または薬理情報を表示した状態で待機する。
【００９６】
ステップＡ７では、選択されたタブに応じて分類表示領域１１８における分類情報の表示と、薬理情報表示領域１１９における薬理情報の表示とを切り替える。
【００９７】
（第２実施形態）
本発明の第２実施形態では、ヒト医薬と獣医薬のうち、ヒト医薬については、有効期限を設定し、有効期限を経過した薬剤については、関連する一部の情報を非表示とする。
【００９８】
ヒト医薬を獣医学用途で用いた場合の知見は、日々更新されており、現在知られている知見が、適切なものとは限らない。新しい臨床実験などにより新たな知見が見出されると、獣医師としては、その知見に基づく効果・効能、用法・用量および参考事項を参照して獣医療行為を行うことが好ましい。また、新たな知見によって、これまでは効果があると考えられていたものが、効果が無いとされたり、知られていない副作用について新たに見出されるなど、薬剤によっては使用しないほうが良い場合もある。
【００９９】
このような獣医薬の現状を鑑みると、ヒト医薬を獣医学用途で用いた場合の効果・効能、用法・用量および参考事項については、永続的に変化しないようなものではく、変化する可能性が高いものと考えるべきであり、そのような場合には、診療を誤らないようにするために、薬剤情報について有効期限を設定し、古い知見に基づく詳細情報については、獣医療支援装置１０において表示されないように構成するほうが好ましい。
【０１００】
図９は、薬剤情報１３０Ａのデータ構造を示す概略図である。薬剤情報１３０Ａは、記憶部１３の薬剤情報記憶領域１３ｃに記憶される。なお、図９に示すデータ構造は、本発明の説明に必要な項目のみを示しており、薬剤情報１３０Ａは、図に示す以外の項目を含んでいてもよい。
【０１０１】
薬剤情報１３０Ａは、ＩＤ番号１３１、薬剤名称１３２、薬効分類１３３、人動区分１３４、内外区分１３５、効果・効能（犬）１３６、用法・用量（犬）１３７、参考事項（犬）１３８、効果・効能（猫）１３９、用法・用量（猫）１４０、参考事項（猫）１４１、保存方法１４２、薬理情報１４３、説明書ＰＤＦ１４４および有効期限１４５の各項目を含む。
【０１０２】
ＩＤ番号１３１から説明書ＰＤＦ１４４までの各項目は、図４に示した薬剤情報１３０と同じであるので、説明は省略し、有効期限１４５の項目について説明する。
【０１０３】
有効期限１４５には、ヒト医薬の効果・効能、用法・用量および参考事項に対する有効期限を示す年月日が記載されている。獣医師が操作することにより獣医療支援装置１０が薬剤情報表示処理を実行するときに、ヒト医薬が選択されると、有効期限１４５として登録された年月日と現在の日付とを比較し、有効期限を過ぎていれば、詳細情報表示領域１１３の各表示領域１１３ａ〜１１３ｄには、薬剤情報１３０Ａに登録されている薬剤名称、効果・効能、用法・用量、参考事項のいずれも表示しない。また、当該薬剤の有効期限を過ぎていることが獣医師にわかるように、「データ有効期限を過ぎています。」などのメッセージをたとえば、赤色など注意を引くような態様で表示するのが好ましい。
【０１０４】
さらに、有効期限が過ぎた薬剤については、薬理情報も表示しないようにするのが好ましい。たとえば、薬理タブ１１７を表示せず、薬理タブ１１７が選択できないようにすることで、薬理情報を表示しない構成とする。
【０１０５】
図１０は、第２実施形態における薬剤情報１３０Ａの表示処理において、表示部１１に表示される画面例を示す図である。本画面例は、薬剤名称の一覧からヒト医薬の薬剤名称が選択されたときの画面例である。詳細情報表示領域１１３の各表示領域１１３ａ〜１１３ｄには、薬剤名称、効果・効能、用法・用量、参考事項を表示せず、その代わりに、「データ有効期限を過ぎています。」とのメッセージが表示されている。また、図６での画面例では選択可能であった薬理タブ１１７が表示されず、選択できないようになっている。
【０１０６】
図１１は、第２実施形態の薬剤情報表示処理を示すフローチャートである。薬剤情報１３０Ａは、予め獣医療支援装置１０の記憶部１３に記憶されており、電子カルテ上で、「お薬ＤＢ」と表示されたタブやアイコンなどを選択されると、薬剤情報表示処理を開始する。
【０１０７】
ステップＢ１では、薬剤情報１３０に登録されている薬剤名称を一覧表示領域１１１に一覧表示する。ステップＢ２では、一覧表示された中から１つの薬剤名称が選択されたかどうかを判断し、選択されるとステップＢ３に進み、選択されなければ一覧表示した状態で待機する。
【０１０８】
ステップＢ３では、薬剤情報１３０Ａの有効期限１４５に登録された年月日と現在の日付とを比較し、選択された薬剤について有効期限が経過したかどうかを判断する。有効期限を経過していれば、ステップＢ４に進み、経過していなければ、ステップＢ５に進む。ステップＢ４では、有効期限が経過したことを示すメッセージを表示する。
【０１０９】
ステップＢ５では、薬剤情報１３０Ａに、選択された薬剤名称に関連付けられて登録されている犬用の効果・効能、用法・用量および参考事項を詳細情報表示領域１１３に表示する。また、分類情報を分類表示領域１１８に表示する。
【０１１０】
ステップＢ６では、猫タブと犬タブのいずれかのタブが選択されたかどうかを判断する。いずれかのタブが選択されるとステップＢ７に進み、選択されなければ現在表示されている効果・効能、用法・用量および参考事項を表示した状態で待機する。
【０１１１】
ステップＢ７では、選択されたタブに応じて犬用の効果・効能、用法・用量および参考事項と猫用の効果・効能、用法・用量および参考事項とを切り替えて詳細情報表示領域１１３に表示する。
【０１１２】
ステップＢ８では、詳細タブと薬理タブのいずれかのタブが選択されたかどうかを判断する。いずれかのタブが選択されるとステップＢ９に進み、選択されなければ現在表示されている分類情報または薬理情報を表示した状態で待機する。
【０１１３】
ステップＢ９では、選択されたタブに応じて分類表示領域１１８における分類情報の表示と、薬理情報表示領域１１９における薬理情報の表示とを切り替える。
【０１１４】
（第３実施形態）
本実施形態は、第１実施形態および第２実施形態に加えて、飼い主向け説明文を表示することを可能としている。獣医療支援装置１０は、獣医師が、自らの診療にあたって利用する装置であるので、表示される各種情報は、獣医師または看護士などがそれを見て理解し、診療に反映させることができればよい。さらに、診療においては、診療対象動物の飼い主にも使用する薬剤についての説明をすることが好ましい。
【０１１５】
図１２は、薬剤情報１３０Ｂのデータ構造を示す概略図である。薬剤情報１３０Ｂは、記憶部１３の薬剤情報記憶領域１３ｃに記憶される。なお、図１２に示すデータ構造は、本発明の説明に必要な項目のみを示しており、薬剤情報１３０Ｂは、図に示す以外の項目を含んでいてもよい。
【０１１６】
薬剤情報１３０Ｂは、ＩＤ番号１３１、薬剤名称１３２、薬効分類１３３、人動区分１３４、内外区分１３５、効果・効能（犬）１３６、用法・用量（犬）１３７、参考事項（犬）１３８、効果・効能（猫）１３９、用法・用量（猫）１４０、参考事項（猫）１４１、保存方法１４２、薬理情報１４３、説明書ＰＤＦ１４４、有効期限１４５、飼い主向け標準情報１４６および飼い主向け自由情報１４７の各項目を含む。
【０１１７】
ＩＤ番号１３１から説明書ＰＤＦ１４４までの各項目は、図４に示した薬剤情報１３０と同じであり、有効期限１４５の項目は、図９に示した薬剤情報１３０Ａと同じであるので、説明は省略し、飼い主向け標準情報１４６および飼い主向け自由情報１４７の項目について説明する。
【０１１８】
飼い主向け標準情報１４６は、各薬剤について飼い主に対して説明するための各種情報が別途記録された記録箇所を示す。飼い主向け標準情報は、ヒト医薬については、効果・効能（犬）１３６、用法・用量（犬）１３７、参考事項（犬）１３８などと同じくヒト医薬を獣医学目的で用いた場合の情報であり、たとえば、効果・効能、注意事項、使用方法および保存方法などの情報を含む。飼い主向け標準情報１４６の項目には、「標準情報Ａ１」など別途記録された記憶箇所が記載されている。
【０１１９】
第１関連情報および第２関連情報である飼い主向け自由情報１４７は、獣医薬およびヒト医薬の各薬剤について飼い主に対して説明するための各種情報であるが、獣医師が自らの知見などに基づき、自由に獣医療支援装置１０に入力した情報であり、入力された情報が別途記録された記録箇所を示す。飼い主向け自由情報は、飼い主向け標準情報と同じく、たとえば、効果・効能、注意事項、使用方法および保存方法などの情報を含む。飼い主向け自由情報１４７の項目には、「自由情報Ａ１」など別途記録された記憶箇所が記載されている。
【０１２０】
図１３は、第３実施形態における薬剤情報１３０Ｂの表示処理において、表示部１１に表示される画面例を示す図である。本画面例は、飼い主向け説明文タブ１２０が選択されたときの画面例である。
【０１２１】
詳細タブ１１６および薬理タブ１１７と並ぶ飼い主向け説明文タブ１２０が選択されると、標準情報表示領域１２１に、飼い主向け標準情報が表示され、自由情報表示領域１２２に飼い主向け自由情報が表示される。
【０１２２】
飼い主向け標準情報は、上記のようにヒト医薬を獣医学目的で用いた場合の情報である。第１実施形態に基づけば、飼い主向け説明文タブ１２０が選択されると、図１３に示すように、標準情報表示領域１２１に、飼い主向け標準情報が表示され、自由情報表示領域１２２に飼い主向け自由情報が表示されるが、第２実施形態に基づけば、ヒト医薬には、有効期限が設定されるので、飼い主向け標準情報については、詳細情報と同様に、有効期限を経過したあとは、表示されないように構成される。
【０１２３】
図１４は、第３実施形態における薬剤情報１３０Ｂの表示処理において、表示部１１に表示される画面例の他の例を示す図である。ヒト医薬について有効期限が設定されている場合に、有効期限を経過していると、図１４に示すように、標準情報表示領域１２１には、飼い主向け標準情報が表示されず、その代わりに「データ有効期限を過ぎています。」とのメッセージが表示される。飼い主向け自由情報は、獣医療支援装置１０を使用する獣医師が、自らの責任において、入力した情報であるので、有効期限が経過していたとしても自由情報表示領域１２２に表示される。
【０１２４】
（第４実施形態）
本発明の第４実施形態として、コンピュータ読み取り可能な記録媒体に記録された獣医療支援プログラムとすることもできる。なお、獣医療支援プログラムが記録された記録媒体も本発明の実施形態に含まれる。
【０１２５】
記録媒体としては、マイクロコンピュータで演算処理を実行するためのメモリ、たとえばＲＯＭが記録媒体であってもよいし、また、外部記憶装置として読み取り装置が設けられ、そこに記録媒体を挿入することで読み取り可能な記録媒体であってもよい。
【０１２６】
具体的な記録媒体としては、磁気テープやカセットテープ等のテープ系、フレキシブルディスクやハードディスク等の磁気ディスクやＣＤ−ＲＯＭ／ＭＯ／ＭＤ／ＤＶＤ／ＢＤ等の光ディスクのディスク系、ＩＣカード（メモリカードを含む）／光カード等のカード系、あるいは、ＵＳＢメモリやマスクＲＯＭ、ＥＰＲＯＭ（Erasable Programmable Read Only Memory）フラッシュＲＯＭ等による半導体メモリ系を含めた獣医療支援プログラムを担持する媒体である。
【０１２７】
なお、本発明において、一覧表示手段および詳細情報表示手段は、表示部１１によって構成され、選択手段および関連情報入力手段は操作部１２によって構成され、計時手段は、制御部１６によって構成される。
【０１２８】
（各実施形態の変形例）
第１〜第３実施形態では、一覧表示領域１１１に一覧表示された薬剤名称から１つの薬剤名称が選択される場合について示したが、これに限らず、複数の薬剤名称を同時に選択できるようにしてもよい。
【０１２９】
同じ薬効分類に属する薬剤は複数あり、診療時には、これらの薬剤の中からどの薬剤を使用するかを決定する必要がある。そのような場合に、複数の薬剤を選択可能とし、複数の薬剤を選択した場合には、たとえば、複数のウインドウによって詳細情報表示領域１１３が、１つの画面に並べて表示され、獣医師は、複数の薬剤の詳細情報を見比べて使用する薬剤を決定することができる。
【０１３０】
第２実施形態では、ヒト医薬については、有効期限を経過したものについて、詳細情報などを表示せず、代わりに有効期限が経過したことを示すメッセージを表示する構成としたが、これに限らず、有効期限が経過したことを示すメッセージを表示するとともに、詳細情報を表示するようにしてもよい。有効期限が過ぎた情報は、たとえ、古い知見であったとしても、診療時の参考となる場合もあるので、有効期限を経過しても表示される構成としてもよい。ただし、有効期限が経過したことは、１つの情報として獣医療支援装置１０を使用する獣医師に報知しておく必要があるので、詳細情報と有効期限が経過したことを示すメッセージとを同時に表示しておくことが好ましい。
【０１３１】
第１〜第３実施形態では、薬剤情報をサーバ装置２０から獣医療支援装置１０にダウンロードする構成としているが、これに限らず、サービス提供業者から提供される薬剤情報であれば、光学ディスクや半導体メモリなどの各種記録媒体に記録された薬剤情報を記憶部１３にコピーして用いてもよく、印刷物として提供された薬剤情報を、獣医師が獣医療支援装置１０の操作部１２を操作して入力し、記憶部１３に記憶させてもよい。
【０１３２】
また、現在記憶部１３に記憶されている薬剤情報に加えて新たな薬剤情報を獣医療支援装置１０に追加することも可能である。追加する薬剤情報は、たとえば、サービス提供者から獣医療支援装置１０を使用する獣医師に対して定期的に、または不定期に送信されてもよく、獣医療支援装置１０を使用する獣医師からサービス提供者に対して薬剤情報の追加要求を行い、サービス提供者はこの要求に応答して追加する薬剤情報を送信するようにしてもよい。
【０１３３】
獣医師からサービス提供者に対する追加要求は、獣医療支援装置１０を使用してもよく、使用しなくてもよい。獣医療支援装置１０を使用しない場合は、サービス提供者に対して、電話通信、ファクシミリ通信および電子メールなどの各種通信手段を用いて、獣医師からサービス提供者に対して追加要求を行う。また、サービス提供者が、電子掲示板を利用している、または運営している場合や、ＳＮＳ（Social Networking Service）を利用している、または運営している場合には、これらの電子掲示板やＳＮＳを利用して獣医師からサービス提供者に対して薬剤情報の追加要求を行うこともできる。
【０１３４】
獣医療支援装置１０を使用する場合は、上記のように、獣医師が獣医療支援装置１０の操作部１２を操作して薬剤情報の一部（たとえば薬剤名称など）を入力し、その他の情報について追加して欲しい旨を示す追加要求情報を、獣医師が獣医療支援装置１０を操作してサービス提供者が運営するサーバ装置２０などに送信する。追加要求情報の送信は、獣医師が獣医療支援装置１０を操作すると、即時に送信してもよく、複数の追加要求情報を一時的にストックしておき、所定の時間が経過したのち、ストックしていた複数の追加要求を一括で送信してもよい。
【０１３５】
第１〜第４実施形態では、薬剤情報の表示処理は、電子カルテ上の機能またはデータベース閲覧プログラムなど専用プログラムによって実行される構成としていたが、これに限らず、ウェブブラウザによるブラウジング機能を利用して薬剤情報を表示するようにしてもよい。
【０１３６】
この場合、薬剤情報は、サービス提供者が運営するウェブサーバやクラウドサーバに記憶されており、薬剤情報をＰＣなどのブラウジング機能を有する装置に一時的にダウンロードして、薬剤情報を表示するようにしてもよい。
【０１３７】
なお、本発明の獣医療支援装置１０では、ヒト医薬について全ての医薬を網羅している必要はなく、使用可能な医薬のうちの一部の医薬について薬剤情報を記憶部１３に記憶させておけばよい。
【符号の説明】
【０１３８】
１      情報通信システム
２      通信ネットワーク
１０    獣医療支援装置
１１    表示部
１２    操作部
１３    記憶部
１３ａ  システム情報記憶領域
１３ｂ  電子カルテ情報記憶領域
１３ｃ  薬剤情報記憶領域
１４    第１通信部
１５    第２通信部
１６    制御部
２０    サーバ装置
２１    通信部
２２    操作部
２３    制御部
２４    記憶部
２４ａ  システム情報記憶領域
２４ｂ  薬剤情報記憶領域
１１１  一覧表示領域
１１２  分類・区分表示領域
１１３  詳細情報表示領域
１１３ａ  表示領域
１１３ｂ  表示領域
１１４  犬タブ
１１５  猫タブ
１１６  詳細タブ
１１７  薬理タブ
１１８  分類表示領域
１１９  薬理情報表示領域
１２０  説明文タブ
１２１  標準情報表示領域
１２２  自由情報表示領域
１３０  薬剤情報
１３０Ａ  薬剤情報
１３０Ｂ  薬剤情報
１３１  ＩＤ番号
１３２  薬剤名称
１３３  薬効分類
１３４  人動区分
１３５  内外区分
１３６  効果・効能
１３７  用法・用量
１３８  参考事項
１３９  効果・効能
１４０  用法・用量
１４１  参考事項
１４２  保存方法
１４３  薬理情報
１４５  有効期限
１４６  標準情報
１４７  自由情報
【図１】
0005986650.tif 000002
【図２】
0005986650.tif 000003
【図３】
0005986650.tif 000004
【図４】
0005986650.tif 000005
【図５】
0005986650.tif 000006
【図６】
0005986650.tif 000007
【図７】
0005986650.tif 000008
【図８】
0005986650.tif 000009
【図９】
0005986650.tif 000010
【図１０】
0005986650.tif 000011
【図１１】
0005986650.tif 000012
【図１２】
0005986650.tif 000013
【図１３】
0005986650.tif 000014
【図１４】
0005986650.tif 000015